(57)【要約】【課題】乾電池でも駆動可能な低動力でかつ破砕損失の少ない養魚、観賞魚用の粒状餌の給餌器。【解決手段】給餌器本体１の底部に安息角を保って餌を堆積させ、この堆積部より電動機２に連動するスクリューまたはコイルバネ状の回転螺旋３にて掻き出す方式とする。これにより圧縮破砕を引き起こすことなく低回転トルク低動力で粒状餌の供給が可能である。【選択図】図１
0003103232.tif 000002
【実用新案登録請求の範囲】
【請求項１】
回転螺旋を持つ掻き出し式給餌器
【考案の詳細な説明】
【０００１】
【考案の属する技術分野】
この考案は、養魚観賞魚等に対し粒状の餌を供給する給餌器に関する。
【０００２】
【従来の技術】
従来の給餌器は貯層の直下より直接、回転スクリューまたは間歇的に落とし穴を持つ回転円盤にて粒状の餌を切り出す方式である。
【０００３】
【考案が解決しようとする課題】
以上の従来技術に依れば、回転スクリューとスクリューケーシング、また回転円盤式にあっては回転円盤と本体固定部間に挟まれた粒状餌は圧縮破砕される。この破砕ため回転トルクが大きくなり、所要動力の増大をもたらす。また破砕粉化された餌は魚が採餌しないので損失となる。
そこで、この考案は破砕損失を減少させると伴に、養魚場等の電源事情に鑑み乾電池でも駆動可能な程度まで所要動力を軽減することを課題とする。
【０００４】
【課題を解決するための手段】
以上の課題を解決するために、請求項１の考案は貯槽直下より切り出す方式を排し、給餌器本体の底部に安息角を保って餌を堆積させ、この堆積部より電動機に連動したスクリューまたはコイルバネ状の回転螺旋にて掻き出す方式とする。これにより圧縮破砕を引き起こすことなく低回転トルクで粒状餌の供給が行える。実験によれば、径１ｍｍの顆粒から直径８ｍｍｘ長さ８ｍｍの硬質のペレットまで単１乾電池を電源とする電動機で供給可能である。
【０００５】
【考案実施の形態】
この考案の１実施形態を図１に示す。魚が引き綱の先端に付いた疑似餌９を引くとリミットスイッチ４が検知し電動機２を駆動する（自発式給餌の例）。自発給餌に適応しない魚種の場合はタイマーによる定刻定時間給餌とする。
貯槽７に貯えられた粒状の餌は本体１を通って安息角を保って底部に堆積している、上述の電動機が回転することにより螺旋３が旋回し餌を掻き出す。掻き出された分は貯槽から重力により降下し安息角が回復するまで補給される。
【０００６】
【考案の効果】
この実施形態によれば、養魚および観賞魚の自動給餌が乾電池を電源とする簡易な装置で可能となり、かつ餌の破砕損失を引き起こすことがない。
【０００７】
【図面の簡単な説明】
【図１】この考案の１実施形態を示す切断面である。
【符号の説明】
１  本体              ２  電動機
３  螺旋              ４  リミットスイッチ
５  乾電池            ６  点検孔閉塁ネジ
７  貯槽              ８  引き綱
９  疑似餌
【図１】
0003103232.tif 000003
【手続補正書】
【提出日】平成16年3月17日(2004.3.17)
【手続補正１】
【補正対象書類名】明細書
【補正対象項目名】全文
【補正方法】変更
【補正の内容】
【実用新案登録請求の範囲】
【請求項１】供給口１及び堆積部１０より成る本体に対し、電動機２に連結したコイル状もしくはリボン状の回転螺旋３を、堆積部上部に供給口中心線と回転螺旋中心軸のなす角度Ｙが２７０度から３１５度の範囲に取り付けた構造を持つ掻き出し式給餌器。
【考案の詳細な説明】
【０００１】
【考案の属する技術分野】
この考案は、養魚観賞魚等に対し粒状の乾燥餌を供給する給餌器に関するものである。
【０００２】
【従来の技術】
従来の自動給餌器は貯層の直下より直接、回転スクリューで、または間歇的に落とし穴を持つ回転円盤にて粒状の餌を押し出しまたは切り出す方式である。
【０００３】
【考案が解決しようとする課題】
以上の従来技術に依れば、回転スクリューとスクリューケーシング、また回転円盤式にあっては回転円盤と本体固定部間に挟まれた粒状餌は圧縮破砕される。この破砕に要するエネルギーのためスクリューまたは回転円盤の回転トルクが大きくなり、所要動力の増大をもたらす。また破砕粉化された餌は魚が採餌しないので損失となる。
そこで、この考案は破砕損失を減少させると伴に、養魚場等の電源事情に鑑み乾電池でも駆動可能な程度まで所要動力を軽減した省エネルギー型自動給餌器を市販に供することを目的とする。
【０００４】
【課題を解決するための手段】
以上の課題を解決するために、請求項１の考案は図２に示すごとく、給餌器本体１の底部に安息角を保って餌を堆積（１０）させる構造とし、この堆積部の上部に電動機２に連結したコイル状またはリボン状の回転螺旋３を、螺旋中心軸と供給口中心線とのなす角度Ｙが２７０度から３１５度の範囲に取り付けることを特徴とする。
図１の漏斗状貯槽７より降下した餌は、図２の角度Ｘが粒状餌の安息角を下回るよう各部の寸法をとることにより１０の位置に静止状態で堆積せしめることが出来る。
この堆積部に斜めに貫入するように設置した回転螺旋を、餌が反重力方向の力を受ける向きに旋回させることにより、堤部を飛び超えて排出口６に落とす。
堆積部より取り除かれた分量の餌は、安息角を保つべく供給口１を経て貯槽より重力降下し補給される。以上のごとく、従来技術が粒状餌の動きが拘束された閉所より押し出しまたは切り出すのに反し、本考案は非拘束の自由堆積部より掻き出す方式であるから、排出時の粒餌の圧縮及び粒餌相互の摩擦が極めて少ない、その結果圧縮、摩擦に伴うエネルギー損失が軽減し、回転螺旋をより少ないトルクで旋回させることができ、単位給餌量当たりの所要動力が低減するとともに破砕損失が軽減される。
【０００５】
【考案実施の形態】
本考案の一実施形態を図１に実施例の諸元を以下に示す。
電動機容量  ：３Ｗ
電動機回転数  ：８６５０ＲＰＭ（減速機構なし）
電源  ：単一乾電池２本直列接続（３Ｖ）
回転螺旋：コイル型  ０．９ｍｍ鋼線を６ターン巻き、仕上がり外径３．５ｍｍ，コイル部長さ２０ｍｍ
回転螺旋取り付け角Ｙ：３００度
貯槽容量：２リットル
供給口径：２０ｍｍ
堆積部長：４０ｍｍ
堆積部高：４５ｍｍ
餌のサイズ：鱒用２．５Ｐ  ペレット状  ２．５ｍｍ径ｘ  ３ｍｍ長
給餌器の取り付け方法：水面上約１ｍに懸架
本実施例の結果を以下に示す。
対象は３ｍｘ５ｍの養殖池で、ヤマメ（平均魚体重約７０ｇ）を約１０００尾収容している。給餌タイミングは自発給餌による。
魚が図１の引き綱８の先端に付いた疑似餌９を引くと、リミットスイッチ４が検知し電動機２を駆動して本給餌器より自動投餌される。給餌能力は、魚の一回の催餌行動（疑似餌を引く動作）当たり５秒間電動機が作動するとして、一回平均２．５ｇの投餌を行う。日量最大３Ｋｇの供給が可能である。ヤマメの採餌活動は一般的に、払暁および夕刻に活発化するが管理面からこの時間帯に合わせて投餌するのは容易ではないが、本実施例による自発式自動給餌による適時投餌をすることにより成長速度および餌効率に顕著な効果が認められた。
【０００６】
【考案の効果】
この実施形態によれば、養魚および観賞魚の自動給餌が乾電池を電源とする簡易な装置で可能となり、省エネルギー、餌の破砕損失軽減の目的を達することができる。
【０００７】
【図面の簡単な説明】
【図１】この考案の１実施形態を示す。
【図２】給餌器の切断面を示す。
【符号の説明】
１給餌器本体          ２  電動機
３回転螺旋            ４  リミットスイッチ
５  乾電池              ６排出口
７  貯槽                ８  引き綱
９  疑似餌１０  粒餌堆積部
１１  供給口
１３  提部
【手続補正２】
【補正対象書類名】図面
【補正対象項目名】全図
【補正方法】変更
【補正の内容】
【図１】
0003103232.tif 000004
【図２】
0003103232.tif 000005